(57)【要約】【課題】耐圧性が大きく且つ製作のしやすい金属製フロートの提供。【解決手段】椀状の二つの分割体４ａ，４ｂからなる中空の本体１と、各分割体の底部に設けた孔１０を通り本体１を貫通する管体２と、本体内部に設けた補強体３を備え、本体１は、一方の分割体４ａの開口縁部５ａを他方の分割体４ｂの開口縁部５ｂの内側に呑み込ませ、他方の分割体の開口端面１４と一方の分割体４ａの外側面を溶接してあり、補強体３は管体２を通す孔６を有し、補強体３の周囲を一方の分割体４ａの開口縁部５ａに当接して溶接してあることを特徴とする。【選択図】　　　図１
2004141005.tif 000002
【特許請求の範囲】
【請求項１】
椀状の二つの分割体からなる中空の本体と、各分割体の底部に設けた孔を通り本体を貫通する管体と、本体内部に設けた補強体を備え、本体は、一方の分割体の開口縁部を他方の分割体の開口縁部の内側に呑み込ませ、他方の分割体の開口端面と一方の分割体の外側面を溶接してあり、補強体は管体を通す孔を有し、補強体の周囲を一方の分割体の開口縁部に当接して溶接してあることを特徴とする金属製フロート。
【請求項２】
補強体は、その外周に一方の分割体の内周面に沿う起立壁を有していることを特徴とする請求項１記載の金属製フロート。
【発明の詳細な説明】
【０００１】
【発明の属する技術分野】
本発明は、漁網等を海上の所定の位置で係止するために用いられる金属製のフロートに関する。
【０００２】
【従来の技術】
漁網等に用いられるフロートは、海が荒れた時には漁網とともに水中に引っ張り込まれることがあり、ある程度水中に沈み込んでも破損することのない耐圧性が求められる。耐圧性を向上させるには、フロートを構成する部材の材質を強靱なものにするか肉厚を厚くすれば良いが、そうすると重量が重くなって浮力が小さくなり好ましくない。そこで特許文献１に記載されているように、フロートの表面にリブを設けて補強したりしている。また表面にリブを突出して設けると、潮流等から受ける抵抗力が大きくなって何かと不都合なので、リブをフロートの内部側に突出して設けることもある。
【０００３】
また最近のフロートは、管体を貫通して設けてその管体に漁網等のロープを挿通して取り付けるようにしたものが大半である。そのようなフロートの構造として、特許文献２に記載されているように、椀状の二つの分割体を接合して構成したものがある。また図５に示すように、分割体１５の開口縁部に、中央に向けて突出する補強用リブ１３を設ける場合もある。
【０００４】
【特許文献１】
実開昭５２−１１１６７７号公報（第３頁、第１図）
【特許文献２】
特開平３−５４０９３号公報（第２頁、第１−３図）
【０００５】
【発明が解決しようとする課題】
過酷な環境で使用されるフロートや大型のフロートでは、上記のようにリブを設けて補強してあっても耐圧性が十分ではなく、変形したり破損したりすることがあった。また、椀状の分割体を接合した構造のものでは、分割体同士の接合部分から破損しやすい欠点があった。本発明は以上に述べた実情に鑑み、耐圧性が大きく且つ製作のしやすい金属製フロートの提供を目的とする。
【０００６】
【課題を解決するための手段】
上記の課題を達成するために請求項１記載の発明による金属製フロートは、椀状の二つの分割体からなる中空の本体と、各分割体の底部に設けた孔を通り本体を貫通する管体と、本体内部に設けた補強体を備え、本体は、一方の分割体の開口縁部を他方の分割体の開口縁部の内側に呑み込ませ、他方の分割体の開口端面と一方の分割体の外側面を溶接してあり、補強体は管体を通す孔を有し、補強体の周囲を一方の分割体の開口縁部に当接して溶接してあることを特徴とする。
【０００７】
さらに請求項２記載の発明は、補強体は、その外周に一方の分割体の内周面に沿う起立壁を有していることを特徴とする。
【０００８】
【発明の実施の形態】
以下、本発明の実施の形態を図面に基づいて説明する。本発明の金属製フロートは、図１に示すように、ラグビーボール状の形をした中空の本体１と、本体１の中心軸に沿って貫通して設けた管体２と、本体内部に設けられ本体１を内側から補強する円盤状の補強体３とから構成されている。これらの部品の材質はアルミニウム合金であり、溶接によって組み立ててある。
【０００９】
本体１は、椀状の二つの分割体４ａ，４ｂからなっており、図１と図２に示すように、一方の分割体４ａの開口縁部５ａを他方の分割体４ｂの開口縁部５ｂの内側に呑み込ませ、他方の分割体４ｂの開口端面１４と一方の分割体４ａの外側面を溶接してある。なお、他方の分割体４ｂの開口縁部５ｂは、一方の分割体４ａの開口縁部５ａを呑み込むために、分割体の板厚分だけ拡径してある。また両分割体４ａ，４ｂは、底部の中心位置に管体２を通す孔１０を設けてある。分割体４ａ，４ｂは、アルミニウム合金の厚さ２ミリ程度の板をプレス加工して形成している。
【００１０】
補強体３もアルミニウム合金の板材をプレス成形したものであって、図３に示すように、外周部全周に起立壁７を連続して形成してあり、中央には管体２を通すための孔６が設けてあり、その孔６の周りに筒状部８を形成してある。また補強体３の平板部分には、放射状に半径方向に延びるリブ９をプレス加工によって形成してある。この補強体３は、一方の分割体４ａの開口縁部５ａ内に嵌め込まれ、起立壁７の外周面を一方の分割体４ａの内周面に当接し、開口側を溶接してある。補強体３は、外周の起立壁７と放射状に配設したリブ９によって強度が増しており、これを両分割体４ａ，４ｂの溶接接合部の内側に配置することによって、本体１の耐圧性が飛躍的に向上する。また、補強体３の外周に起立壁７を設けておけば、補強体３が本体１の中心軸線に対して傾いて取り付けられることがなく、耐圧性を向上させる効果が最大限に得られるとともに、取り付けの作業性も良好となる。なお、補強体３の筒状部８は管体２に溶接固定する必要はなく、また筒状部８の内周面と管体２の外周面は密着していても良いし隙間が空いていても良い。また、筒状部８が形成してなくても良い。
【００１１】
管体２は、両分割体４ａ，４ｂの底部に設けた孔１０，１０を通り本体１を貫通しており、両端部にラッパ状に湾曲して拡径する拡径部１１を形成してあり、その端縁部を分割体４ａ，４ｂの孔周縁部外側面に当接して溶接してある。このように形成したことによって、管体２に挿通した漁網のロープは、管体２の両端部において拡径部１１の湾曲面に当り、先端や角の部分に当って擦れるということがないため、ロープが切れるおそれが少ない。
【００１２】
本フロートの製作手順を図４に即して述べる。分割体４ａ，４ｂと補強体３はそれぞれ所定の形状に成形しておく。管体２は、当初は端部に拡径部１１を成形することなく、ストレートの状態で用いる。まず、一方の分割体４ａの開口縁部５ａに補強体３を嵌め込み、溶接して固定する。次に、一方の分割体４ａの開口縁部５ａを他方の分割体４ｂの開口縁部５ｂ内に嵌め込み、溶接して一体化する。次に本体１に管体２を貫通させ、管体２の両端部に拡径治具１２，１２を差し込んで両側からプレスすることによって、管体２の両端部に拡径部１１を形成する。最後に管体２の両側の端縁部を本体１の外側面に溶接する。
【００１３】
本発明は、以上に述べた実施形態に限定されない。補強体３は、起立壁７を設けず単なる板状とすることもできる。材質は、加工の容易性や軽量性、耐食性などを考慮すればアルミニウム合金とするのが適当であるが、ステンレスやチタン合金等の他の金属を用いることもできる。本体の形態は、球形等としても良い。
【００１４】
【発明の効果】
請求項１記載の発明による金属製フロートは、椀状の二つの分割体の一方の開口縁部を他方の開口縁部に呑み込ませて溶接して中空の本体を構成し、且つ本体の内部に、一方の分割体の開口縁部に周囲を当接して補強体を設けたので、両分割体の接合部分が補強体によって内側から補強され、本体の耐圧性が大きく向上することとなる。またこのように構成したことで、補強体の設置や本体の構成が容易となり、製作のしやすいものになった。
【００１５】
さらに請求項２記載の発明によれば、補強体自体の強度が向上するとともに、補強体が本体の変形を最も効率良く防止できる形で安定して取り付けられることから、耐圧性のさらなる向上が図られる。
【図面の簡単な説明】
【図１】本発明の金属製フロートを一部断面にして示す正面図である。
【図２】図１のＡ部の拡大図である。
【図３】補強体の平面図である。
【図４】図１に示す金属製フロートを分解して示す断面図である。
【図５】従来のフロートの一例を示す断面図である。
【符号の説明】
１　本体
２　管体
３　補強体
４ａ，４ｂ　分割体
５ａ，５ｂ　開口縁部
６　孔（補強体）
７　起立壁
１０　孔（分割体）
１４　他方の分割体の開口端面
【図１】
2004141005.tif 000003
【図２】
2004141005.tif 000004
【図３】
2004141005.tif 000005
【図４】
2004141005.tif 000006
【図５】
2004141005.tif 000007